(57)【要約】【課題】携行式マッサージ機において、大きな重量を支えられると共に、装着や脱着を簡単に行えるようにする。【解決手段】本発明の背負い式マッサージ機１は、使用者Ｕの背部を覆うように上下方向へ延びると共に背部の患部をマッサージする施療部３を備えた覆い体２と、使用者Ｕが覆い体２を背負って装着することを可能とする背負い手段４とを有していて、背負い手段４には使用者Ｕが腕を通して覆い体２を背負うための開口部５が形成されていることを特徴とするものである。背負い手段４は覆い体２の上部側と下部側との間を連結するベルト２３を覆い体２の左側と右側とにそれぞれ有しているのが好ましく、また開口部５は覆い体２とこの覆い体２に両端が繋がったベルト２３との間に形成されているのが好ましい。【選択図】図１
2012000158.tif 000002
【特許請求の範囲】
【請求項１】
使用者の背部を覆うように上下方向へ延びると共に患部をマッサージする施療部を備えた覆い体と、
使用者が覆い体を背負って装着することを可能とする背負い手段と、
を有していて、
前記背負い手段には、前記使用者が腕を通して覆い体を背負うための開口部が形成されていることを特徴とする背負い式マッサージ機。
【請求項２】
前記背負い手段は、覆い体の上部側と下部側との間を連結するベルトを、覆い体の左側と右側とにそれぞれ有しており、
前記開口部は、前記覆い体と当該覆い体に両端が繋がっているベルトとの間に形成されていることを特徴とする請求項１に記載の背負い式マッサージ機。
【請求項３】
前記ベルトは、
前記覆い体の上部に連結されていて、当該覆い体の上部から使用者の肩を跨いで使用者の腹部まで上下方向へ延びる第１ベルトと、
前記使用者の脇の下を通って外側から回り込むように第１ベルトの下部と覆い体の下部と連結する第２ベルトと、
を備えていることを特徴とする請求項１又は２に記載の背負い式マッサージ機。
【請求項４】
前記施療部は、
前記覆い体の上部に設けられて、使用者の肩をマッサージする第１施療部と、
前記覆い体の下部に設けられて、使用者の腰をマッサージする第２施療部とを有していることを特徴とする請求項１〜３のいずれかに記載の背負い式マッサージ機。
【請求項５】
前記第１施療部と第２施療部との間には、当該第１施療部と第２施療部との間の間隔を上下方向に調整可能とする高さ調整手段が備えられていることを特徴とする請求項４に記載の背負い式マッサージ機。
【請求項６】
前記前覆い体の下端側には、前記使用者が把持して前覆い体を下方に押し下げることにより、前記第１施療部を使用者の肩に位置する患部に押さえ付け可能な長尺の引張体が設けられていることを特徴とする請求項４又は５に記載の背負い式マッサージ機。
【請求項７】
前記施療部には、電磁式の打撃力発生手段が設けられていることを特徴とする請求項１〜６のいずれかに記載の背負い式マッサージ。
【発明の詳細な説明】
【技術分野】
【０００１】
本発明は、使用者が背部に背負って着用することにより肩や腰などの患部をマッサージすることができる背負い式マッサージ機に関するものである。
【背景技術】
【０００２】
例えば特許文献１には、使用者が首や肩にかけられるように逆Ｖの字状に形成された着脱式のマッサージ機が知られている。このマッサージ機は、上端側に首や肩などの患部をマッサージする施療部（振動発生器）を備え、２又状に分かれた下端側に使用者が手首をかける取手を備えている。このマッサージ機では、使用者が取手に手首をかけて下方に引っ張ることにより、施療部を首や肩の患部に強く押し付けて確実にマッサージすることができる。
【先行技術文献】
【特許文献】
【０００３】
【特許文献１】韓国登録特許第１０−０８８７７０４号公報
【発明の概要】
【発明が解決しようとする課題】
【０００４】
ところで、特許文献１の背負い式マッサージ機では、施療部が１箇所しかないので首や肩のマッサージと同時に腰をマッサージすることはできない。一般的に施療対象となる身体の部位の中でも、腰は首や肩と並んで特に重要であり、マッサージ機には腰を施療する機能が求められる。それゆえ、腰のマッサージ部を首や肩のマッサージ部とは別に追加的に設けるのが望ましい。
【０００５】
ところが、マッサージ部が増えるとマッサージ機のサイズも大きくなって嵩張ったものとなり、使用者にとって取り扱いが困難となって力が弱い女性や年配の使用者にとって利便性が著しく低下する。特に、マッサージ機の使用者が女性である場合には、首に掛ける方式のマッサージ機では髪の毛が邪魔になってマッサージ機の装着や脱着がますます困難になる。
【０００６】
本発明は、上記事情に鑑みてなされたものであって、装着や脱着が簡単に行えて、使用者に対して高い利便性を発揮することができる背負い式マッサージ機を提供することを目的とする。
【課題を解決するための手段】
【０００７】
前記目的を達成するために、本発明は次の手段を講じた。
即ち、本発明にかかる背負い式マッサージ機は、使用者の背部を覆うように上下方向へ延びると共に患部をマッサージする施療部を備えた覆い体と、使用者が覆い体を背負って装着することを可能とする背負い手段とを有していて、前記背負い手段には前記使用者が腕を通して覆い体を背負うための開口部が形成されていることを特徴とするものである。
【０００８】
この背負い手段は覆い体の上部側と下部側との間を連結するベルトを覆い体の左側と右側とにそれぞれ有しているのが好ましく、また前記開口部は覆い体とこの覆い体に両端が繋がったベルトとの間に形成されているのが好ましい。
このような使用者が腕を通す開口部を備えた背負い手段を設ければ、マッサージ機を簡単に背負うことができ、使用者に対して高い利便性を発揮することができる。
【０００９】
なお、前記ベルトは、前記覆い体の上部に連結されていて当該覆い体の上部から使用者の肩を跨いで使用者の腹部まで上下方向へ延びる第１ベルトと、前記使用者の脇の下を通って外側から回り込むように第１ベルトの下部と覆い体の下部と連結する第２ベルトと、を備えているのが好ましい。
また、前記施療部としては、前記覆い体の上部に設けられて、使用者の肩をマッサージする第１施療部と、前記覆い体の下部に設けられて、使用者の腰をマッサージする第２施療部とを有しているものを採用しても良い。
【００１０】
さらに、前記第１施療部と第２施療部との間には、当該第１施療部と第２施療部との間の間隔を上下方向に調整可能とする高さ調整手段が備えられているのが良い。
さらにまた、前記前覆い体の下端側には、前記使用者が把持して前覆い体を下方に押し下げることにより、前記第１施療部を使用者の肩に位置する患部に押さえ付け可能な長尺の引張体が設けられているのが好ましい。そして、前記施療部には、電磁式の打撃力発生手段が設けられているのが好ましい。
【発明の効果】
【００１１】
本発明に係る背負い式マッサージ機によれば、装着や脱着が簡単に行えて、使用者に対して高い利便性を発揮することができる。
【図面の簡単な説明】
【００１２】
【図１】本発明の背負い式マッサージ機の斜視図である。
【図２】背面側から見た場合の背負い式マッサージ機の使用態様を示す図である。
【図３】図２のＡ−Ａ線断面図である。
【図４】正面側から見た場合の背負い式マッサージ機の使用態様を示す図である。
【図５】ベルトを用いたマッサージ位置の調整方法を説明する図である。
【図６】高さ調整手段を用いたマッサージ位置の調整方法を説明する図である。
【発明を実施するための形態】
【００１３】
以下、本発明の背負い式マッサージ機１を図面に基づき説明する。
本発明の背負い式マッサージ機１は、使用者Ｕが肩にかけて着用することができる携行式のマッサージ機である。この背負い式マッサージ機１（以降では、単にマッサージ機１という）は、椅子型のマッサージ機のように大きな設置スペースを必要とせず、例えば立ったままの姿勢やソファーなどに座ったままの姿勢でマッサージすることができるため、椅子型のマッサージ機より手軽に利用できる利点を備えている。
【００１４】
マッサージ機１は、使用者Ｕの背部を覆うように上下方向へ延びる覆い体２を備えている。この覆い体２には、使用者Ｕの背部の患部をマッサージする施療部３が設けられている。また、マッサージ機１は、使用者Ｕが覆い体２を背負って装着することを可能とする背負い手段４を有している。この背負い手段４は、使用者Ｕが腕を通すことのできる開口部５を有しており、開口部５に使用者Ｕが腕を通すことにより使用者Ｕにマッサージ機１を背負って装着することを可能としている。
【００１５】
以降の説明では、図２〜図４に示す上下方向・左右方向を用いてマッサージ機１を説明する。また、マッサージ機１は図５に示すように装着するものであり、このようにマッサージ機１を装着した使用者Ｕから見た前後方向をマッサージ機１を説明する際の前後方向という。なお、これらの方向は、説明の便宜上付したものである。
図１及び図２に示すように、覆い体２は、上下方向に長く形成されていて、使用者Ｕの背面（背部）における肩から腰（臀部）にかけての領域に接触しつつこれらの領域を覆うことができるようになっている。覆い体２は、上部に設けられる第１施療部６と、下部に設けられる第２施療部７と、これらの第１施療部６と第２施療部７とを上下に連結する連結部８とを有している。
【００１６】
図２及び図３に示すように、第１施療部６の前側（使用者Ｕに面する側）は通気性を高めるためにメッシュ材９などで形成されており、内部に湿気が溜まらないようになっている。また、第１施療部６の後側は合成繊維、合成皮革などのシート材１０で形成されており、前側のメッシュ材９と後側のシート材１０との間には、発泡ポリウレタンなどの弾力性のあるクッション材１１が配備されている。
【００１７】
このクッション材１１には使用者Ｕの肩に対応した位置に前側（使用者Ｕ側）に向かって開口する凹部１２が形成されており、この凹部１２には使用者Ｕの患部をマッサージする左右一対の打撃力発生手段１３と、それぞれの打撃力発生手段１３の打撃の強さ、打撃の時間、打撃のリズムなどを制御する制御部１４とが収納されている。
図２の例では、この第１施療部６の打撃力発生手段１３は使用者Ｕの両肩に対応した位置に設けられていて、背部上側の患部として使用者Ｕの肩や首を主にマッサージ可能となっている。また、制御部１４には、図示しない外部電源や内蔵された電源から電流が供給できるようになっていて、制御部１４から第１施療部６及び後述する第２施療部７の各打撃力発生手段１３に所定の強さや周波数に調整された電流が供給されている。
【００１８】
第２施療部７は、第１施療部６と同様にシート材１０、メッシュ材９及びクッション材１１で形成されており、その内部には第１施療部６と同様に使用者Ｕの背部下側の患部をマッサージする打撃力発生手段１３が左右一対配備されている。図２の例では、この第２施療部７の打撃力発生手段１３は使用者Ｕの腰に対応した位置に設けられていて、使用者Ｕの腰（臀部）を主にマッサージ可能となっている。
【００１９】
図３（ａ）及び図３（ｂ）に示すように、打撃力発生手段１３は、中央が中空部１６となっている励磁コイル１５（導線が巻回状態となっているソレノイド）と、この励磁コイル１５の中空部１６に同軸状に挿入され且つ中空部１６から出入可能となっている駆動棒１７（ピストン）とを有している。励磁コイル１５の前面には、駆動棒１７の先端部に接するように設けられたスプリング１８（帯状のスプリング乃至はゴムベルト）が取り付けられている。
【００２０】
打撃力発生手段１３では、この打撃力発生手段１３の励磁コイル１５に電流を流すと、図３（ｂ）に示す如く、励磁コイル１５に生起した電磁力により駆動棒１７が中空部１６に収まった位置から、前面に配備された帯状のスプリング１８を引き伸ばすような形で、励磁コイル１５から飛び出す方向に動く。励磁コイル１５から飛び出た駆動棒１７は帯状のスプリング１８の弾性力により押し返されるが、励磁コイル１５に電流を流している間は押し返し力に抗って駆動棒１７は飛び出た状態のままとなる。
【００２１】
その後、励磁コイル１５の電流を止めると、駆動棒１７に働く力は帯状のスプリング１８による押し返し力だけとなり、図３（ａ）に示すように駆動棒１７が励磁コイル１５の中空部１６内に戻る方向に動く。つまり、電流が励磁コイル１５に供給されるとき駆動棒１７の一部は励磁コイル１５の中空部１６から突出し、電流が遮断された際には駆動棒１７は帯スプリング１８の弾性力により励磁コイル１５の中央にある中空部１６に戻る。その繰り返しにより、駆動棒１７が出退の繰り返し運動を行い、患部に打撃マッサージ（叩きマッサージ）を加えることが可能になる。
【００２２】
上記の如く、打撃力発生手段１３は、駆動棒１７の突出は励磁コイル１５の電磁力で行われ、駆動棒１７の退行は励磁コイル１５の前面に配備された帯状のスプリング１８（帯状のゴムベルト）によるため、打撃力発生手段１３は無重力下でも問題なく作動する。また、立位姿勢にある使用者Ｕの腰などに当たるように、垂直に配備（駆動棒１７の軸心が水平方向を向くように配備）されても確実に動作することとなる。
【００２３】
また、駆動棒１７の先端部は、背負い式マッサージ機１の内面と表面接触せず、打撃力発生手段１３の構成部品の１つである帯状のスプリング１８と接触するため、永年使用に伴って、背負い式マッサージ機１の内面が擦れたり摩耗したりする不具合を避けることができる。擦れたり摩耗したりしても、帯スプリング１８であれば交換は容易である。また、駆動棒１７の先端部による患部への強力な打撃力を帯状のスプリング１８により緩和することができ、穏やかな叩きマッサージ施術を患部へ与えることができるようになる。
【００２４】
なお、励磁コイル１５の電流を止め場合、駆動棒１７は、患部への強力な打撃力の反作用力により励磁コイル１５の中空部１６内に戻るように動く。それ故、励磁コイル１５の前面に設けられたスプリング１８が存在しなくとも、駆動棒１７が出退の繰り返し運動を実現することは可能であり、その点では、スプリング１８は必須構成要件ではない。
図２に示すように、覆い体２を構成する連結部８は、第１施療部６と第２施療部７との間に設けられて、両施療部３同士を上下に連結している。連結部８は、合成繊維（合成皮革）などで帯状に形成されているが、第１施療部６及び第２施療部７とは異なり内部にはクッション材１１を備えていない。連結部８は、クッション材１１を有さない分だけ第１施療部６や第２施療部７より薄肉になっていて、第１施療部６と第２施療部７とを折れ曲がり自在に連結している。
【００２５】
連結部８には、第１施療部６と第２施療部７との間の間隔を上下方向に調整可能とする高さ調整手段１９が備えられている。本実施形態では、スライダ２０を用いて雌雄のエレメント２２、２１（務歯）同士を繋いだり切り離したりできるファスナー式の高さ調整手段１９が用いられている。
高さ調整手段１９は、第１施療部６の下端に取り付けられた雄型のエレメント２１（雄型の務歯）と、第２施療部７の上端に取り付けられた雌型のエレメント２２（雌型の務歯）とを備えている。これらの雌雄のエレメント２２、２１は、いずれも左右方向に向かって水平に設けられており、歯先を交互に噛み合わせることで互いに係合（連結）可能となっている。また、雄型のエレメント２１には、左右いずれかの方向に移動することで雌雄のエレメント２２、２１の歯先同士を噛み合わせることができるスライダ２０が設けられている。
【００２６】
高さ調整手段１９では、スライダ２０を左右方向の一方向に移動させると雌雄のエレメント２２、２１同士が噛み合い、連結部８を介さず第１施療部６の下端と第２施療部７の上端とを直接係合することができる。また、スライダ２０を他方向に移動させると雌雄のエレメント２２、２１同士の噛み合いが外れて、第１施療部６の下端と第２施療部７の上端とが連結部８を介して連結されるようになる。つまり、高さ調整手段１９では、左右方向に沿ったスライダ２０の移動に応じて第１施療部６と第２施療部７とが直接連結したり第１施療部６と第２施療部７とが連結部８を介して連結したりするようになり、第１施療部６に対する第２施療部７の位置を上下方向に調整することができる。
【００２７】
ところで、本発明の背負い式マッサージ機１は、使用者Ｕが覆い体２を背負って装着することを可能とする背負い手段４とを有している。この背負い手段４には使用者Ｕが腕を通すことのできる開口部５が形成されていて、開口部５に腕を挿し込むことで覆い体２を背負うことができるようになっている。
具体的には、背負い手段４は、覆い体２の上部と下部との間を連結するベルト２３を覆い体２の左側と右側とにそれぞれ有していて、ベルト２３と覆い体２との間に開口部５がそれぞれ形成されている。次に、背負い手段４及びこの背負い手段４を構成するベルト２３について説明する。
【００２８】
図１及び図４に示すように、このベルト２３は、覆い体２の上部に設けられた第１施療部６と覆い体２の下部に設けられた第２施療部７とを上下方向に連結するものであり、覆い体２の左右両側にそれぞれ１本ずつ合わせて一対設けられている。また、それぞれのベルト２３は、上側の第１ベルト２４と下側の第２ベルト２５とを備えていて、これらを長手方向に繋ぎ合わした構成となっている。
【００２９】
第１ベルト２４は、覆い体２の第１施療部６及び第２施療部７と同様にシート材１０、メッシュ材９及びクッション材１１を用いて形成されている。第１ベルト２４は、長尺な帯状に形成されていて、上下方向に沿って配備されている。第１ベルト２４の上端は覆い体２の上部に連結されており、第１ベルト２４は覆い体２の上部から使用者Ｕの肩を跨いで使用者Ｕの胸側に回り込むように伸びていて、第１ベルト２４の下端は使用者Ｕの腹部付近に位置している。
【００３０】
これら左右一対の第１ベルト２４の下端側には、長尺の帯状に形成された引張体２６がそれぞれ設けられている。それぞれの引張体２６の上端は第１ベルト２４の後面（使用者Ｕに面する側）に縫いつけられており、引張体２６を押し下げることにより第１ベルト２４を下方に引きつけることができるようになっている。また引張体２６の下側には、使用者Ｕが把持可能な輪状部２７が形成されている。この輪状部２７は、引張体２６の折り返し端を上下方向の中途側に縫いつけることにより使用者Ｕが把持しやすい輪状に形成されている。この引張体２６は、輪状部２７を掴んで押し下げることにより第１ベルト２４に連結した覆い体２の位置を調整するものであり、覆い体２に設けられる打撃力発生手段１３の位置を患部に位置合わせする際などに用いられる。
【００３１】
第２ベルト２５は、第１ベルト２４の下端と覆い体２の下部（第２施療部７）とを連結するものである。この第２ベルト２５は、合成繊維（合成皮革）などで長尺の帯状に形成されていて、第１ベルト２４の下端側から使用者Ｕの脇の下を通って外側から回り込むように覆い体２の下部まで伸びている。第２ベルト２５の上端は第１ベルト２４の後面に縫いつけられており、また第２ベルト２５の下端は覆い体２の下部における左右の外縁に縫いつけられている。第２ベルト２５の長手方向の中途側には留め金２８（バックル）が設けられていて、この留め金２８を用いて第２ベルト２５はその長さを自在に変更できるようになっている。
【００３２】
次に、上述のマッサージ機１を用いてマッサージを行う方法、言い換えれば本発明のマッサージ機１の使用方法について説明する。
まず、マッサージ機１を装着する前に、第１ベルト２４と第２ベルト２５とを連結して覆い体２の上部（第１施療部６）と下部（第２施療部７）とを連結しておく。このようにすると、ベルト２３が覆い体２に輪状（アーチ状）に繋がって使用者Ｕが腕を通すことのできる開口部５が覆い体２の右側と左側とに形成される。
【００３３】
マッサージ機１を装着する際は、使用者Ｕは、右側のベルト２３と覆い体２との間に形成された（右側の）開口部５から右腕を挿し込み、また左側のベルト２３と覆い体２との間に形成された（左側の）開口部５から左腕を挿し込んで、覆い体２を背負う。
このようにすると、覆い体２が使用者Ｕの背面における肩から腰（臀部）にかけての領域に接触し、これらの領域が覆い体２によって覆われる。そして、覆い体２の上部に設けられた第１施療部６の打撃力発生手段１３が使用者Ｕの肩をマッサージ可能な位置に配備され、覆い体２の下部に設けられた第２施療部７の打撃力発生手段１３が使用者Ｕの腰をマッサージ可能な位置に配備されて、マッサージの準備が整う。
【００３４】
次に、上述したように背負ったマッサージ機１に電流を供給してマッサージを行う。マッサージを行う場合は、まず図示しない外部電源や内部電源から制御部１４に電流を供給する。制御部１４では、使用者Ｕが予め定められたマッサージメニューから希望するマッサージ内容を選択できるようになっている。このように制御部１４で使用者Ｕが選択したマッサージ内容に従って予め定められた強さ・周波数に調整された電流（パルス電流）が各打撃力発生手段１３に供給される。制御部１４から電流が供給された打撃力発生手段１３では、励磁コイル１５に連続的にＯＮ／ＯＦＦを繰り返す電流（パルス電流）が流れ、発生した電磁力に応じて駆動棒１７が出退する。そして、この出退する駆動棒１７を用いて患部のマッサージが可能となる。
【００３５】
次に、ベルト２３や高さ調整手段１９を用いて打撃力発生手段１３の位置（マッサージ位置）を調整する方法を説明する。
例えば、図５（ａ）に示すように、背が低い使用者Ｕがマッサージ機１を使用する場合、言い換えれば使用者Ｕの体格がマッサージ機１に比べて小さい場合を考える。このような場合は、覆い体２が使用者Ｕの背部から浮き上がって打撃力発生手段１３（特に第２施療部７の打撃力発生手段１３）が使用者Ｕから離れ、その結果マッサージが十分に行えなくなる可能性がある。そこで、図５（ａ）に示すように第２ベルト２５を図中の矢印の方向に引き、第２ベルト２５の長さを調整する。このとき、留め金２８を用いて第２ベルト２５を締めつけるようにして第２ベルト２５の長さを調整しても良いし、第２ベルト２５を手で掴んで引きつけるようにして第２ベルト２５の長さを調整しても良い。このようにすると、図５（ｂ）に示すように第２ベルト２５の長さが短く調整され、この第２ベルト２５で連結される第１ベルト２４の下端と第２施療部７との２点間距離が小さくなって、覆い体２が使用者Ｕ側（患部側）に引き寄せられ、打撃力発生手段１３を患部に強く押し付けて患部を確実にマッサージすることができるようになる。
【００３６】
また、例えば図６（ａ）に示すように大きな体格の（背が高い）使用者Ｕに打撃力発生手段１３の位置が合わせられたマッサージ機１を、図６（ｂ）に示すように小さな体格の（背が低い）使用者Ｕが使用する場合を考える。このようなマッサージ機１では、背が高い使用者Ｕの患部に合わせて打撃力発生手段１３の間隔が上下方向に大きく設定されている。このようなマッサージ機１を背が低い使用者Ｕが使用する場合、背が低い使用者Ｕの患部の間隔は背が高い使用者Ｕより上下方向に短いため、打撃力発生手段１３（特に第２施療部７の打撃力発生手段１３）の位置が患部より下方にずれ、その結果マッサージが十分に行えなくなる可能性がある。このような場合は、上述の高さ調整手段１９を用いて第１施療部６と第２施療部７との距離を上下方向に狭くする。そうすると、図６（ｂ）に示すように、小さな体格の使用者Ｕにおける患部の位置に合わせて打撃力発生手段１３の間隔が狭くなり、体格が小さな使用者Ｕに対しても確実にマッサージを行うことが可能となる。
【００３７】
なお、説明した例は小さな体格の使用者Ｕに合わせて第１施療部６に対する第２施療部７の位置を上方に調整する場合のものであるが、説明した手順と逆の手順で第２施療部７の位置を下方に調整すれば背の低い使用者Ｕに打撃力発生手段１３の位置が合わせられたマッサージ機１を背が高い使用者Ｕが使用することも可能となる。
上述した本発明のマッサージ機１では、覆い体２の上部に第１施療部６が配備されると共に覆い体２の下部に第２施療部７が配備されているため、首や肩などの背部上側の患部と腰などの背部下側の患部とを一度にマッサージすることができる。
【００３８】
また、本発明のマッサージ機１では、左右一対のベルト２３を用いて覆い体２を背負い状態で装着可能とすることができるため、力が弱い女性や年配の使用者Ｕでもマッサージ機１の重量をしっかりと支えることができる。加えて、本発明のマッサージ機１ではマッサージ中も両手が自由に使えるため、例えば家事をしながらあるいは本や雑誌を読みながら気軽にマッサージを受けることができる。
【００３９】
さらに、従来の首に掛ける方式の着用式マッサージ機においては使用者Ｕが女性である場合に、装着や脱着の際に髪の毛が邪魔になりやすいという問題があった。しかし、本発明のように背負って装着するマッサージ機１であれば、リュックサックを背負い込むように装着や脱着が極めて簡単に行え、しかも髪の毛が邪魔になる心配が殆どない。それゆえ、このような女性などの使用者Ｕに対しても高い利便性を発揮できる。
【００４０】
その上、本発明のマッサージ機１では電磁式のマッサージ機構（打撃力発生手段１３）を用いているため、例えば機械式やエアバッグ式のマッサージ機構に比べて、軽量且つ簡単な構造でありながら十分なマッサージ効果を得ることができる。
本発明は上記各実施形態に限定されるものではなく、発明の本質を変更しない範囲で各部材の形状、構造、材質、組み合わせなどを適宜変更可能である。
【００４１】
例えば、高さ調整手段１９は、ファスナー以外の方法、例えば面ファスナー、ベルト２３などで第１施療部６に対する第２施療部７の位置を上下方向に調整するものであっても良い。
【符号の説明】
【００４２】
１  マッサージ機（背負い式マッサージ機）
２  覆い体
３  施療部
４  背負い手段
５  開口部
６  第１施療部
７  第２施療部
８  連結部
９  メッシュ材
１０  シート材
１１  クッション材
１２  凹部
１３  打撃力発生手段
１４  制御部
１５  励磁コイル
１６  中空部
１７  駆動棒
１８  スプリング
１９  高さ調整手段
２０  スライダ
２１  雄型のエレメント
２２  雌型のエレメント
２３  ベルト
２４  第１ベルト
２５  第２ベルト
２６  引張体
２７  輪状部
２８  留め金
Ｕ  使用者
【図２】
2012000158.tif 000003
【図４】
2012000158.tif 000004
【図６】
2012000158.tif 000005
【図１】
2012000158.tif 000006
【図３】
2012000158.tif 000007
【図５】
2012000158.tif 000008